(57)【要約】【課題】本願発明が解決しようとする課題は、周波数リソースの増加に伴う演算量の増加を抑制する技術を提供することである。【解決手段】本願発明は、無線通信システムであって、移動局からの送信信号のリファレンス信号と制御信号との特性に基づいて、複数の無線リソースから前記移動局が使用した無線リソースを特定するための候補として選択する選択手段と、前記選択した候補の中から、前記移動局が使用した無線リソースを、前記送信信号の制御信号の特性に基づいて特定する特定手段とを有する無線通信システム。【選択図】図５
2015032967.tif 000002
【特許請求の範囲】
【請求項１】
無線通信システムであって、
移動局からの送信信号のリファレンス信号と制御信号との特性に基づいて、複数の無線リソースを前記移動局が使用した無線リソースを特定するための候補として選択する選択手段と、
前記選択した候補の中から、前記移動局が使用した無線リソースを、前記送信信号の制御信号の特性に基づいて特定する特定手段と
を有する無線通信システム。
【請求項２】
前記選択手段は、前記リファレンス信号と制御信号とを用いて算出した、前記無線リソース毎のリファレンス信号相関値に基づいて、前記候補を選択する請求項１に記載の無線通信システム。
【請求項３】
前記選択手段は、全無線リソースのリファレンス信号と制御信号とから雑音電力を推定し、各無線リソースのリファレンス信号から無線リソース毎のチャネル推定値を算出し、前記推定した雑音電力と前記算出した無線リソース毎のチャネル推定値とに基づいて、前記候補を選択する請求項１又は請求項２に記載の無線通信システム。
【請求項４】
前記特定手段は、前記選択した候補の無線リソースのＡ／Ｎ信号を復調するための等化ウェイトを、各無線リソースのリファレンス信号から算出した無線リソース毎のチャネル推定値を用いて生成する請求項１から請求項３のいずれかに記載の無線通信システム。
【請求項５】
前記特定手段は、前記選択した候補の無線リソースにおける制御信号を前記生成した等化ウェイトを用いて復調し、その復調結果に基づいて、前記移動局が使用した無線リソースを特定する請求項４に記載の無線通信システム。
【請求項６】
無線通信システムの基地局であって、
移動局からの送信信号のリファレンス信号と制御信号との特性に基づいて、複数の無線リソースを前記移動局が使用した無線リソースを特定するための候補として選択する選択手段と、
前記選択した候補の中から、前記移動局が使用した無線リソースを、前記送信信号の制御信号の特性に基づいて特定する特定手段と
を有する基地局。
【請求項７】
無線リソース特定方法であって、
移動局からの送信信号のリファレンス信号と制御信号との特性に基づいて、複数の無線リソースを前記移動局が使用した無線リソースを特定するための候補として選択する選択ステップと、
前記選択した候補の中から、前記移動局が使用した無線リソースを、前記送信信号の制御信号の特性に基づいて特定する特定ステップと
を有する無線リソース特定方法。
【請求項８】
無線通信システムの基地局のプログラムであって、前記プログラムは前記基地局を、
移動局からの送信信号のリファレンス信号と制御信号との特性に基づいて、複数の無線リソースを前記移動局が使用した無線リソースを特定するための候補として選択する選択手段と、
前記選択した候補の中から、前記移動局が使用した無線リソースを、前記送信信号の制御信号の特性に基づいて特定する特定手段と
して機能させるプログラム。
【発明の詳細な説明】
【技術分野】
【０００１】
本発明は、無線通信システム、基地局、無線リソース特定方法、及びプログラムである。
【背景技術】
【０００２】
複数の無線リソースが存在する無線通信システムにおいて、無線リソースから特定の無線リソースを用いて制御信号を送信する技術が存在する。受信側では、複数の無線リソースから、制御信号が送信されている無線リソースを検出する必要がある。具体例としては、３ＧＰＰのＬＴＥ（Long Term Evolution）におけるチャネルセレクションを用いたＰＵＣＣＨ（Physical Uplink Control Channel）  ｆｏｒｍａｔ  １ｂが挙げられる。
【０００３】
３ＧＰＰのＬＴＥでは、上りリンクにおいて制御情報としてＡＣＫ（Acknowledgement）信号、もしくは、ＮＡＫ（Negative Acknowledgement）信号がＰＵＣＣＨ  ｆｏｒｍａｔ  １ａ、もしくは、ＰＵＣＣＨ  ｆｏｒｍａｔ  １ｂを用いて、移動端末装置から無線基地局装置に送信される（非特許文献１の５.４.１章を参照）。以下、ＡＣＫ信号、及び、ＮＡＫ信号は、Ａ/Ｎ信号と略記する。
【０００４】
ＰＵＣＣＨ  ｆｏｒｍａｔ  １ａ、もしくは、ＰＵＣＣＨ  ｆｏｒｍａｔ  １ｂのスロットフォーマットは、時間領域において複数のＯＦＤＭ（Orthogonal Frequency Division Multiplex）シンボルに分割され、図１に示すようにＡ／Ｎ信号とリファレンス信号であるＤＭ-ＲＳ（Demodulation Reference Signal）が多重される。
【０００５】
ＰＵＣＣＨ  ｆｏｒｍａｔ  １ａ、もしくは、ＰＵＣＣＨ  ｆｏｒｍａｔ  １ｂの場合に、ＰＵＣＣＨは１つの周波数リソースを用いて送信される。更には、ＰＵＣＣＨ  ｆｏｒｍａｔ  １ｂの場合に、１つのＰＵＣＣＨが複数の周波数リソース候補の中から１つの周波数リソースを選択して送信されるチャネルセレクションという機能が存在する（非特許文献２の１０.１.２.２.１章を参照）。
【０００６】
チャネルセレクションにおいて、無線基地局装置はＰＵＣＣＨが送信される可能性を有する複数の周波数リソース候補を把握しているが、実際に移動端末装置からＰＵＣＣＨが送信される周波数リソースを把握していない。そのため、無線基地局装置はＰＵＣＣＨを受信するために、移動端末装置がＰＵＣＣＨを送信している周波数リソースを検出する必要がある。
【０００７】
以下に、無線通信システムの無線基地局装置においてチャネルセレクションを用いたＰＵＣＣＨ  ｆｏｒｍａｔ  １ｂに関する受信方式に関して述べる。
【０００８】
図２に、無線通信システムの無線基地局装置における受信構成を示す。図２では、１例として１つの移動端末装置１００と１つの無線基地局装置１０１が存在する場合を示したが、実際には複数の移動端末装置１００が存在する。
【０００９】
移動端末装置１００は、複数の周波数リソース候補の中から、１つの周波数リソース候補に相当するサブキャリア信号に送信ＤＭ−ＲＳと送信Ａ／Ｎ信号をＯＦＤＭシンボル毎に多重して、周波数領域の送信信号を生成する。周波数領域の送信信号を時間領域に変換して、時間領域の送信信号を生成する。時間領域の送信信号は無線基地局装置１０１に送信される。
【００１０】
無線基地局装置１０１は、Ａ／Ｄ変換部１０２、ＦＦＴ部１０３、周波数リソース候補抽出部１０４、雑音電力推定部１０５、チャネル推定部１０６、等化ウェイト生成部１０７、Ａ／Ｎ復調部１０８、周波数リソース検出部１０９、ＤＴＸ検出部１１０、Ａ／Ｎ復号部１１１を有する。
【００１１】
Ａ／Ｄ変換部１０２は、時間領域の送信信号が、伝搬路などの影響を受けた時間領域の受信信号として入力される。時間領域の受信信号はＡ／Ｄ変換処理により時間領域のデジタル受信信号に変換される。時間領域のデジタル受信信号は、ＦＦＴ部１０３に出力される。
【００１２】
ＦＦＴ部１０３は、Ａ／Ｄ変換部１０２から時間領域のデジタル受信信号が入力される。時間領域のデジタル受信信号は、ＦＦＴ処理されて周波数領域の受信信号に変換される。周波数領域の受信信号は、周波数リソース候補抽出部１０４に出力される。
周波数リソース候補抽出部１０４は、ＦＦＴ部１０３から周波数領域の受信信号が入力される。周波数領域の受信信号から、全部の周波数リソース候補に関してＤＭ−ＲＳとＡ／Ｎ信号が多重されたサブキャリア信号である受信ＤＭ−ＲＳサブキャリア信号と受信Ａ／Ｎサブキャリア信号を抽出する。全部の周波数リソース候補の受信ＤＭ−ＲＳサブキャリア信号と受信Ａ／Ｎサブキャリア信号は雑音電力推定部１０５に出力される。全部の周波数リソース候補の受信ＤＭ−ＲＳサブキャリア信号はチャネル推定部１０６に出力される。全部の周波数リソース候補の受信Ａ／Ｎサブキャリア信号はＡ／Ｎ復調部１０８に出力される。
【００１３】
雑音電力推定部１０５は、周波数リソース候補抽出部１０４から全部の周波数リソース候補の受信ＤＭ−ＲＳサブキャリア信号と受信Ａ／Ｎサブキャリア信号が入力される。全部の周波数リソース候補の受信ＤＭ−ＲＳサブキャリア信号と受信Ａ／Ｎサブキャリア信号を用いて、雑音電力σ２を推定する。雑音電力σ２は、等化ウェイト生成部１０７とＤＴＸ検出部１１０に出力される。
【００１４】
チャネル推定部１０６は、周波数リソース候補抽出部１０４から全部の周波数リソース候補の受信ＤＭ−ＲＳサブキャリア信号が入力される。全部の周波数リソース候補の受信ＤＭ−ＲＳサブキャリア信号を用いて、全部の周波数リソース候補のチャネル推定値Ｈが推定される。全部の周波数リソース候補のチャネル推定値Ｈは、等化ウェイト生成部１０７に出力される。
【００１５】
等化ウェイト生成部１０７は、雑音電力推定部１０５から雑音電力σ２が入力され、チャネル推定部１０６から全部の周波数リソース候補のチャネル推定値Ｈが入力される。雑音電力σ２と全部の周波数リソース候補のチャネル推定値Ｈを用いて、全部の周波数リソース候補の等化ウェイトを生成する。全部の周波数リソース候補の等化ウェイトは、Ａ／Ｎ復調部１０８に出力される。
【００１６】
Ａ／Ｎ復調部１０８は、周波数リソース候補抽出部１０４から全部の周波数リソース候補の受信Ａ／Ｎサブキャリア信号が入力され、等化ウェイト生成部１０７から全部の周波数リソース候補の等化ウェイトが入力される。全部の周波数リソース候補の受信Ａ／Ｎサブキャリア信号と等化ウェイトを用いて、全部の周波数リソース候補の復調Ａ／Ｎ信号が生成される。全部の周波数リソース候補の復調Ａ／Ｎ信号は、周波数リソース検出部１０９に出力される。
【００１７】
周波数リソース検出部１０９は、Ａ／Ｎ復調部１０８から全部の周波数リソース候補の復調Ａ／Ｎ信号が入力される。全部の周波数リソース候補の復調Ａ／Ｎ信号の中で最大振幅を有する１つの復調Ａ／Ｎ信号を選択する。１つの復調Ａ／Ｎ信号は、ＤＴＸ検出部１１０とＡ／Ｎ復号部１１１に出力される。
【００１８】
ＤＴＸ検出部１１０は、雑音電力推定部１０５から雑音電力σ２が入力され、周波数リソース検出部１０９から復調Ａ／Ｎ信号が入力される。パラメータとして与える相対ＤＴＸ検出閾値thrrel[dB]と雑音電力σ２からＤＴＸ検出閾値thrを計算する。復調Ａ／Ｎ信号とＤＴＸ検出閾値thrを比較してＤＴＸ判定結果を生成する。ここで、ＤＴＸ判定結果は、復調Ａ／Ｎ信号がＤＴＸ検出閾値thrより大きい場合は非ＤＴＸであり、一方、復調Ａ／Ｎ信号がＤＴＸ検出閾値thrより小さい場合はＤＴＸとなる。ＤＴＸ判定結果は、Ａ／Ｎ復号部１１１に通知される。
【００１９】
Ａ／Ｎ復号部１１１は、周波数リソース検出部１０９から復調Ａ／Ｎ信号が入力され、ＤＴＸ検出部１１０からＤＴＸ判定結果が通知される。ＤＴＸ判定結果がＤＴＸを示す場合、処理を行わない。一方、ＤＴＸ判定結果が非ＤＴＸを示す場合、復調Ａ／Ｎ信号を復号処理して復号Ａ／Ｎ信号を生成する。
【先行技術文献】
【非特許文献】
【００２０】
【非特許文献１】３ＧＰＰ  ＴＳ  ３６.２１１  ｖ１０.５.０
【非特許文献２】３ＧＰＰ  ＴＳ  ３６.２１３  ｖ１０.７.０
【発明の開示】
【発明が解決しようとする課題】
【００２１】
上記無線基地局装置の場合、周波数リソース候補数の増加に伴い演算量が増加してしまう問題点がある。これは、等化ウェイト生成部１０７とＡ／Ｎ復調部１０８において全部の周波数リソース候補に関して処理をする必要があるためである。
【００２２】
一方、ＤＭ‐ＲＳの周波数リソース候補数の減少は、Ａ／Ｎ検出特性の劣化が生じてしまう問題点がある。例えば、無線基地局装置においてＡ／Ｎ信号の代わりにＤＭ−ＲＳを用いた周波数リソースの検出を適用する場合、周波数リソースの検出に用いるＯＦＤＭシンボル数が減少するので周波数リソース候補数の増加に伴う演算量の増加を軽減できるが、周波数リソースの検出精度が劣化することにより、Ａ／Ｎ信号のビット誤り率の劣化が生じてしまう。これは、Ａ／Ｎ信号に比較してＤＭ−ＲＳは、周波数リソースの検出に用いることができるＯＦＤＭシンボル数が少ないため、干渉成分への耐性が低下するためである。
【００２３】
一例として、図３に周波数リソースの検出においてＤＭ−ＲＳ、もしくは、Ａ／Ｎ信号を用いた場合の周波数リソースの検出誤り確率を示し、図４に周波数リソースの検出においてＤＭ−ＲＳ、もしくは、Ａ／Ｎ信号を用いた場合のＡ／Ｎ信号のビット誤り確率を示す。図３よりＤＭ−ＲＳに対してＡ／Ｎ信号を用いた周波数リソースの検出誤り確率が良好であること、及び、図４よりＤＭ−ＲＳに対してＡ／Ｎ信号を用いたＡ／Ｎ信号のビット誤り確率が良好であることがわかる。
【００２４】
本発明が解決しようとする課題は、上記問題点を解決する技術を提供することであり、周波数リソース候補数の増加に伴う演算量の増加を抑制する技術を提供することである。
【課題を解決するための手段】
【００２５】
上記課題を解決するための本願発明は、無線通信システムであって、移動局からの送信信号のリファレンス信号と制御信号との特性に基づいて、複数の無線リソースを前記移動局が使用した無線リソースを特定するための候補として選択する選択手段と、前記選択した候補の中から、前記移動局が使用した無線リソースを、前記送信信号の制御信号の特性に基づいて特定する特定手段とを有する。
【００２６】
上記課題を解決するための本願発明は、無線通信システムの基地局であって、移動局からの送信信号のリファレンス信号と制御信号との特性に基づいて、複数の無線リソースを前記移動局が使用した無線リソースを特定するための候補として選択する選択手段と、前記選択した候補の中から、前記移動局が使用した無線リソースを、前記送信信号の制御信号の特性に基づいて特定する特定手段とを有する。
【００２７】
上記課題を解決するための本願発明は、無線リソース特定方法であって、移動局からの送信信号のリファレンス信号と制御信号との特性に基づいて、複数の無線リソースを前記移動局が使用した無線リソースを特定するための候補として選択する選択ステップと、前記選択した候補の中から、前記移動局が使用した無線リソースを、前記送信信号の制御信号の特性に基づいて特定する特定ステップとを有する。
【００２８】
上記課題を解決するための本願発明は、無線通信システムの基地局のプログラムであって、前記プログラムは前記基地局を、移動局からの送信信号のリファレンス信号と制御信号との特性に基づいて、複数の無線リソースを前記移動局が使用した無線リソースを特定するための候補として選択する選択手段と、前記選択した候補の中から、前記移動局が使用した無線リソースを、前記送信信号の制御信号の特性に基づいて特定する特定手段として機能させる。
【発明の効果】
【００２９】
本発明によると、周波数リソース候補数が増加した場合でも、演算量の増加を抑制でき、周波数リソースの検出精度と演算量の最適化を図れることが可能である。
【図面の簡単な説明】
【００３０】
【図１】ＰＵＣＣＨのスロットフォーマットを示す図である。
【図２】本願に関係する無線通信システムにおける無線基地局装置の構成を示すブロック図である。
【図３】周波数リソースの検出において、ＤＭ−ＲＳ、もしくは、Ａ／Ｎ信号を用いた場合の周波数リソースの検出誤り確率を示す図である。
【図４】周波数リソースの検出において、ＤＭ−ＲＳ、もしくは、Ａ／Ｎ信号を用いた場合のＡ／Ｎ信号のビット誤り確率を示す図である。
【図５】本発明の無線通信システムにおける無線基地局の構成を示すブロック図である。
【図６】本発明の無線通信システムにおける無線基地局装置の動作を示すフローチャートである。
【図７】ＤＭ−ＲＳ周波数リソース検出部２０７において、ＤＭ−ＲＳ周波数リソース選択数毎の周波数リソースの検出誤り確率を示す図である。
【図８】ＤＭ−ＲＳ周波数リソース検出部２０７において、ＤＭ−ＲＳ周波数リソース選択数毎のＡ／Ｎ信号のビット誤り確率を示す図である。
【発明を実施するための形態】
【００３１】
本発明の無線通信システムは、チャネルセレクションを用いたＰＵＣＣＨ  ｆｏｒｍａｔ  １ｂに準じた無線通信システムである。
【００３２】
本発明の無線システムの基地局装置は、ＤＭ−ＲＳを用いて、移動端末装置が送信に使用した任意の周波数リソースの候補を選択し、この選択した任意の周波数リソース候補から１つの周波数リソースを移動端末装置が送信に使用した周波数リソースとして検出する。具体的には、全部の周波数リソース候補の受信ＤＭ−ＲＳサブキャリア信号とチャネル推定値Ｈとを用いて、任意の周波数リソース候補を選択する。そして選択した任意の周波数リソース候補の復調Ａ／Ｎ信号を用いて、移動端末装置が送信に使用した任意の周波数リソースを検出する。
【００３３】
更に、無線基地局装置は、選択した任意の周波数リソース候補に関してＡ／Ｎ信号を復調するための等化ウェイトを生成する。具体的には、任意の周波数リソース候補のチャネル推定値Ｈを用いて、Ａ／Ｎ信号の等化ウェイトを生成する。
【００３４】
更に、無線基地局装置は、任意の周波数リソース候補に関してＡ／Ｎ信号を復調する機能を具備する。具体的には、任意の周波数リソース候補の受信Ａ／Ｎサブキャリア信号と等化ウェイトを用いて、Ａ／Ｎ信号を復調する。
【００３５】
次に、本発明の詳細について図面を参照して詳細に説明する。
【００３６】
図５は、本発明の１実施形態による無線通信システムにおけるチャネルセレクションを用いたＰＵＣＣＨ  ｆｏｒｍａｔ  １ｂの受信構成を示すブロック図である。無線通信システムでは、１つの移動端末装置２００と１つの無線基地局装置２０１を有している。尚、説明の簡略化のために１つの移動端末装置２００と１つの無線基地局装置２０１とを有している場合を用いて説明するが、それぞれ少なくとも１つ以上あればよい。
【００３７】
移動端末装置２００は、複数の周波数リソース候補の中から、１つの周波数リソース候補に相当するサブキャリア信号に送信ＤＭ−ＲＳと送信Ａ／Ｎ信号をＯＦＤＭシンボル毎に多重した周波数領域の送信信号を生成する。周波数領域の送信信号を時間領域に変換して、時間領域の送信信号を生成する。時間領域の送信信号は、無線基地局装置２０１に送信される。
【００３８】
無線基地局装置２０１は、Ａ／Ｄ変換部２０２、ＦＦＴ部２０３、周波数リソース候補抽出部２０４、雑音電力推定部２０５、チャネル推定部２０６、ＤＭ−ＲＳ周波数リソース検出部２０７、等化ウェイト生成部２０８、Ａ／Ｎ復調部２０９、Ａ／Ｎ周波数リソース検出部２１０、ＤＴＸ検出部２１１、Ａ／Ｎ復号部２１２を有する。
【００３９】
Ａ／Ｄ変換部２０２は、時間領域の送信信号が、伝搬路などの影響を受けた時間領域の受信信号として入力される。時間領域の受信信号はＡ／Ｄ変換処理により時間領域のデジタル受信信号に変換される。時間領域のデジタル受信信号は、ＦＦＴ部２０３に出力される。
【００４０】
ＦＦＴ部２０３は、Ａ／Ｄ変換部２０２から時間領域のデジタル受信信号が入力される。時間領域のデジタル受信信号は、ＦＦＴ処理されて周波数領域の受信信号に変換される。周波数領域の受信信号は、周波数リソース候補抽出部２０４に出力される。
【００４１】
周波数リソース候補抽出部２０４は、ＦＦＴ部２０３から周波数領域の受信信号が入力される。周波数領域の受信信号から、全部の周波数リソース候補の受信ＤＭ−ＲＳとＡ／Ｎ信号が多重されたサブキャリア信号である受信ＤＭ−ＲＳサブキャリア信号と受信Ａ／Ｎサブキャリア信号を抽出する。全部の周波数リソース候補の受信ＤＭ−ＲＳサブキャリア信号と受信Ａ／Ｎサブキャリア信号は雑音電力推定部２０５に出力される。全部の周波数リソース候補の受信ＤＭ−ＲＳサブキャリア信号はチャネル推定部２０６に出力される。全部の周波数リソース候補の受信Ａ／Ｎサブキャリア信号はＡ／Ｎ復調部２０９に出力される。
【００４２】
雑音電力推定部２０５は、周波数リソース候補抽出部２０４から全部の周波数リソース候補の受信ＤＭ−ＲＳサブキャリア信号と受信Ａ／Ｎサブキャリア信号が入力される。全部の周波数リソース候補の受信ＤＭ−ＲＳサブキャリア信号と受信Ａ／Ｎサブキャリア信号を用いて、雑音電力σ２を推定する。雑音電力σ２は、ＤＭ−ＲＳ周波数リソース検出部２０７と等化ウェイト生成部２０８とＤＴＸ検出部２１１に出力される。
【００４３】
チャネル推定部２０６は、周波数リソース候補抽出部２０４から全部の周波数リソース候補の受信ＤＭ−ＲＳサブキャリア信号が入力される。全部の周波数リソース候補の受信ＤＭ−ＲＳサブキャリア信号を用いて、全部の周波数リソース候補のチャネル推定値Ｈが周波数リソース毎に推定される。全部の周波数リソース候補のチャネル推定値Ｈは、ＤＭ−ＲＳ周波数リソース検出部２０７に出力される。
【００４４】
ＤＭ−ＲＳ周波数リソース検出部２０７は、雑音電力推定部２０５から雑音電力σ２が入力され、チャネル推定部２０６から全部の周波数リソース候補のチャネル推定値Ｈが入力される。雑音電力σ２と全部の周波数リソース候補の各チャネル推定値Ｈを用いて、周波数リソース候補毎のＤＭ−ＲＳ相関値corrRSを計算する。一例として、数１より周波数リソース候補毎のＤＭ−ＲＳ相関値corrRSを計算する。
【００４５】
【数１】
2015032967.tif 000003
ここで、ＮＲＳＣは全周波数リソース候補数、ＮＴＸは送信アンテナ数、ＮＲＸは受信アンテナ数、ＮSYM,RSはスロット毎のＤＭ−ＲＳが多重されているＯＦＤＭシンボル数、rは周波数リソース候補の識別番号、txは送信アンテナの識別番号、rxは受信アンテナの識別番号、sはスロットの識別番号、lはスロット内のＯＦＤＭシンボル番号、
2015032967.tif 000004
はチャネル推定値Ｈの複素共役を示す。
【００４６】
ＤＭ−ＲＳ相関値corrRSに関して、大きい順に順位付けし、更にパラメータとして与えられるＤＭ−ＲＳ周波数リソース選択数で示される個数だけ、移動端末装置が使用した周波数リソースの候補として選択する。選択したＤＭ−ＲＳ相関値corrRSに対応する周波数リソース候補の識別番号rを周波数リソース選択番号r’とする。周波数リソース選択番号r’に対応したチャネル推定値Ｈは、等化ウェイト生成部２０８に出力される。ＤＭ−ＲＳ周波数リソース選択番号r’は、Ａ／Ｎ復調部２０９に通知される。
【００４７】
等化ウェイト生成部２０８は、雑音電力推定部２０５から雑音電力σ２が入力され、ＤＭ−ＲＳ周波数リソース検出部２０７から周波数リソース選択番号r’に対応したチャネル推定値Hが入力される。雑音電力σ２と周波数リソース選択番号r’に対応したチャネル推定値Ｈを用いて、周波数リソース選択番号r’に対応した受信Ａ／Ｎ信号を復調するための等化ウェイトを生成する。周波数リソース選択番号r’に対応した等化ウェイトはＡ／Ｎ復調部２０９に出力される。
【００４８】
Ａ／Ｎ復調部２０９は、周波数リソース候補抽出部２０４から全部の周波数リソース候補の受信Ａ／Ｎサブキャリア信号が入力され、ＤＭ−ＲＳ周波数リソース検出部２０７から周波数リソース選択番号r’が通知され、等化ウェイト生成部２０８から周波数リソース選択番号r’に対応した等化ウェイトが入力される。周波数リソース選択番号r’に対応した受信Ａ／Ｎサブキャリア信号と等化ウェイトを用いて復調処理を行い、周波数リソース選択番号r’に対応した復調Ａ／Ｎ信号を生成する。周波数リソース選択番号r’に対応した復調Ａ／Ｎ信号は、Ａ／Ｎ周波数リソース検出部２１０に出力される。
【００４９】
Ａ／Ｎ周波数リソース検出部２１０は、Ａ／Ｎ復調部２０９から周波数リソース選択番号r’に対応した復調Ａ／Ｎ信号が入力される。周波数リソース選択番号r’に対応した復調Ａ／Ｎ信号の中で最大振幅を有する１つの復調Ａ／Ｎ信号を選択する。１つの復調Ａ／Ｎ信号は、ＤＴＸ検出部２１１とＡ／Ｎ復号部２１２に出力される。
【００５０】
ＤＴＸ検出部２１１は、雑音電力推定部２０５から雑音電力σ２が入力され、Ａ／Ｎ周波数リソース検出部２１０から復調Ａ／Ｎ信号が入力される。パラメータとして与える相対ＤＴＸ検出閾値thrrel[dB]と雑音電力σ２からＤＴＸ検出閾値thrを計算する。一例として、数２によりＤＴＸ検出閾値thrを計算する。
【００５１】
【数２】
2015032967.tif 000005
復調Ａ／Ｎ信号の電力とＤＴＸ検出閾値thrを比較してＤＴＸ判定結果を生成する。ここで、ＤＴＸ判定結果は、復調Ａ／Ｎ信号の電力がＤＴＸ検出閾値thrより大きい場合は非ＤＴＸであり、一方、復調Ａ／Ｎ信号の電力がＤＴＸ検出閾値thrより小さい場合はＤＴＸとなる。ＤＴＸ判定結果は、Ａ／Ｎ復号部２１２に通知される。
【００５２】
Ａ／Ｎ復号部２１２は、Ａ／Ｎ周波数リソース検出部２１０から復調Ａ／Ｎ信号が入力され、ＤＴＸ検出部２１１からＤＴＸ判定結果が通知される。ＤＴＸ判定結果がＤＴＸを示す場合、処理は行わない。一方、ＤＴＸ判定結果が非ＤＴＸを示す場合、復調Ａ／Ｎ信号を復号処理して復号Ａ／Ｎ信号を生成する。
【００５３】
本願発明の動作について説明する。以下の説明では、１例として１つの移動端末装置２００と１つの無線基地局装置２０１が存在する場合に、無線通信システムにおける無線基地局装置２０１についての処理を述べる。図６は、本発明における無線基地局装置２０１の動作を示すフローチャートである。以下、無線基地局装置２０１における受信処理について述べる。
【００５４】
無線基地局装置２０１は、移動端末装置２００から送信されたＤＭ−ＲＳとＡ／Ｎ信号が多重された時間領域の送信信号を受信する（ステップ３００）。
【００５５】
Ａ／Ｄ変換部２０２は、Ａ／Ｄ変換処理により時間領域の受信信号をデジタル受信信号に変換する（ステップ３０１）。
【００５６】
ＦＦＴ部２０３は、時間領域のデジタル受信信号をＦＦＴ処理して周波数領域の受信信号に変換する（ステップ３０２）。
【００５７】
周波数リソース候補抽出部２０４は、周波数領域の受信信号から、全部の周波数リソース候補の受信ＤＭ−ＲＳサブキャリア信号と受信Ａ／Ｎサブキャリア信号とを周波数リソース毎に抽出する（ステップ３０３）。
【００５８】
雑音電力推定部２０５は、全部の周波数リソース候補の受信ＤＭ−ＲＳサブキャリア信号と受信Ａ／Ｎサブキャリア信号とを用いて、無線基地局装置２０１における雑音電力σ２を推定する（ステップ３０４）。
【００５９】
チャネル推定部２０６は、全部の周波数リソース候補の受信ＤＭ−ＲＳサブキャリア信号を用いて、全部の周波数リソース候補のチャネル推定値Ｈを周波数リソース毎に推定する（ステップ３０５）。
【００６０】
ＤＭ−ＲＳ周波数リソース検出部２０７は、雑音電力σ２と全部の周波数リソース候補のチャネル推定値Ｈを用いて、数１により周波数リソース候補毎のＤＭ−ＲＳ相関値corrRSを計算する（ステップ３０６）。
【００６１】
ＤＭ−ＲＳ周波数リソース検出部２０７は、周波数リソース候補毎のＤＭ−ＲＳ相関値corrRSに関して大きい順に順位付けし、更に、パラメータとして与えられるＤＭ−ＲＳ周波数リソース選択数で示される個数分、上位から周波数リソースの候補として選択する。選択したＤＭ−ＲＳ相関値corrRSに対応する周波数リソース候補番号rを周波数リソース選択番号r’として検出する（ステップ３０７）。
【００６２】
等化ウェイト生成部２０８は、雑音電力σ２と周波数リソース選択番号r’に対応したチャネル推定値Ｈを用いて、周波数リソース選択番号r’に対応したＡ／Ｎ信号を復調するための等化ウェイトを生成する（ステップ３０８）。
【００６３】
Ａ／Ｎ復調部２０９は、周波数リソース選択番号r’に対応した受信Ａ／Ｎサブキャリア信号を抽出する（ステップ３０９）。
【００６４】
Ａ／Ｎ復調部２０９は、周波数リソース選択番号r’に対応した受信Ａ／Ｎサブキャリア信号と等化ウェイトとを用いて復調処理を行い、周波数リソース選択番号r’に対応した復調Ａ／Ｎ信号を生成する（ステップ３１０）。
【００６５】
Ａ／Ｎ周波数リソース検出部２１０は、周波数リソース選択番号r’に対応した復調Ａ／Ｎ信号に関して、最大振幅を有する復調Ａ／Ｎ信号の周波数リソース選択番号r’を、移動端末装置２００が送信に用いた周波数リソース番号として検出する（ステップ３１１）。
【００６６】
ＤＴＸ検出部２１１は、数２によりＤＴＸ検出閾値thrを計算する（ステップ３１２）。
【００６７】
ＤＴＸ検出部２１１は、復調Ａ／Ｎ信号の電力とＤＴＸ検出閾値thrを比較する（ステップ３１３）。
【００６８】
ＤＴＸ検出部２１１は、復調Ａ／Ｎ信号の電力がＤＴＸ検出閾値thrより大きい場合は非ＤＴＸと判定する（ステップ３１４）。
【００６９】
ＤＴＸ検出部２１１は、復調Ａ／Ｎ信号の電力がＤＴＸ検出閾値thrより小さい場合はＤＴＸと判定して処理を終了する（ステップ３１５）。
【００７０】
Ａ／Ｎ復号部２１２は、復調Ａ／Ｎ信号を復号処理して復号Ａ／Ｎ信号を生成する（ステップ３１６）。
【００７１】
上記本発明によると、周波数リソース候補数が増加した場合でも、演算量の増加を抑制できる。その理由は、受信ＤＭ−ＲＳを用いて任意の周波数リソース候補を選択するため、及び、任意の周波数リソース候補に関してＡ／Ｎ信号を復調するための等化ウェイトを生成するため、及び、任意の周波数リソース候補に関してＡ／Ｎ信号を復調するためである。
【００７２】
また、上記本発明によると、受信ＤＭ−ＲＳを用いて選択する周波数リソース候補数を少なくすることにより演算量が減少し、受信ＤＭ−ＲＳを用いて選択する周波数リソース候補数を複数にして、増加させることで周波数リソースの検出精度が改善し、受信ＤＭ−ＲＳを用いて選択する周波数リソース候補数を最適化することで、周波数リソースの検出精度と演算量が最適化できる。参考として、図７に受信ＤＭ−ＲＳを用いて選択する周波数リソース候補数毎の周波数リソースの検出誤り確率を示し、図８に受信ＤＭ−ＲＳを用いて選択する周波数リソース候補数毎のＡ／Ｎ信号のビット誤り確率を示す。ここで、図７と図８の凡例は、ＤＭ−ＲＳ周波数リソース検出部２０７におけるＤＭ−ＲＳ周波数リソース選択数を示しており、４ｒｅｓｏｕｒｃｅの場合が無線基地局装置１０１に相当する。図７と図８より、ＤＭ−ＲＳ周波数リソース選択数を４から２に減少させた場合でも、周波数リソースの検出誤り確率、及び、Ａ／Ｎ信号のビット誤り確率の劣化は微小であることがわかる。
【００７３】
尚、上述した本発明の基地局は、上記説明からも明らかなように、ハードウェアで構成することも可能であるが、コンピュータプログラムにより実現することも可能である。このような構成の場合、プログラムメモリに格納されているプログラムで動作するプロセッサによって、上述した実施の形態と同様の機能、動作を実現させる。尚、上述した実施の形態の一部の機能のみをコンピュータプログラムにより実現することも可能である。
【００７４】
以上、実施の形態及び実施例をあげて本発明を説明したが、本発明は必ずしも上記実施の形態及び実施例に限定されるものではなく、その技術的思想の範囲内において様々に変形し実施することが出来る。
【００７５】
（付記１）
無線通信システムであって、
移動局からの送信信号のリファレンス信号と制御信号との特性に基づいて、複数の無線リソースを前記移動局が使用した無線リソースを特定するための候補として選択する選択手段と、
前記選択した候補の中から、前記移動局が使用した無線リソースを、前記送信信号の制御信号の特性に基づいて特定する特定手段と
を有する無線通信システム。
【００７６】
（付記２）
前記選択手段は、前記リファレンス信号と制御信号とを用いて算出した、前記無線リソース毎のリファレンス信号相関値に基づいて、前記候補を選択する付記１に記載の無線通信システム。
【００７７】
（付記３）
前記選択手段は、全無線リソースのリファレンス信号と制御信号とから雑音電力を推定し、各無線リソースのリファレンス信号から無線リソース毎のチャネル推定値を算出し、前記推定した雑音電力と前記算出した無線リソース毎のチャネル推定値とに基づいて、前記候補を選択する付記１又は付記２に記載の無線通信システム。
【００７８】
（付記４）
前記特定手段は、前記選択した候補の無線リソースのＡ／Ｎ信号を復調するための等化ウェイトを、各無線リソースのリファレンス信号から算出した無線リソース毎のチャネル推定値を用いて生成する付記１から付記３のいずれかに記載の無線通信システム。
【００７９】
（付記５）
前記特定手段は、前記選択した候補の無線リソースにおける制御信号を前記生成した等化ウェイトを用いて復調し、その復調結果に基づいて、前記移動局が使用した無線リソースを特定する付記４に記載の無線通信システム。
【００８０】
（付記６）
無線通信システムの基地局であって、
移動局からの送信信号のリファレンス信号と制御信号との特性に基づいて、複数の無線リソースを前記移動局が使用した無線リソースを特定するための候補として選択する選択手段と、
前記選択した候補の中から、前記移動局が使用した無線リソースを、前記送信信号の制御信号の特性に基づいて特定する特定手段と
を有する基地局。
【００８１】
（付記７）
前記選択手段は、前記リファレンス信号と制御信号とを用いて算出した、前記無線リソース毎のリファレンス信号相関値に基づいて、前記候補を選択する付記６に記載の基地局。
【００８２】
（付記８）
前記選択手段は、全無線リソースのリファレンス信号と制御信号とから雑音電力を推定し、各無線リソースのリファレンス信号から無線リソース毎のチャネル推定値を算出し、前記推定した雑音電力と前記算出した無線リソース毎のチャネル推定値とに基づいて、前記候補を選択する付記６又は付記７に記載の基地局。
【００８３】
（付記９）
前記特定手段は、前記選択した候補の無線リソースのＡ／Ｎ信号を復調するための等化ウェイトを、各無線リソースのリファレンス信号から算出した無線リソース毎のチャネル推定値を用いて生成する付記６から付記８のいずれかに記載の基地局。
【００８４】
（付記１０）
前記特定手段は、前記選択した候補の無線リソースにおける制御信号を前記生成した等化ウェイトを用いて復調し、その復調結果に基づいて、前記移動局が使用した無線リソースを特定する付記９に記載の基地局。
【００８５】
（付記１１）
無線リソース特定方法であって、
移動局からの送信信号のリファレンス信号と制御信号との特性に基づいて、複数の無線リソースを前記移動局が使用した無線リソースを特定するための候補として選択する選択ステップと、
前記選択した候補の中から、前記移動局が使用した無線リソースを、前記送信信号の制御信号の特性に基づいて特定する特定ステップと
を有する無線リソース特定方法。
【００８６】
（付記１２）
前記選択手段は、前記リファレンス信号と制御信号とを用いて算出した、前記無線リソース毎のリファレンス信号相関値に基づいて、前記候補を選択する付記１１に記載の無線リソース特定方法。
【００８７】
（付記１３）
前記選択手段は、全無線リソースのリファレンス信号と制御信号とから雑音電力を推定し、各無線リソースのリファレンス信号から無線リソース毎のチャネル推定値を算出し、前記推定した雑音電力と前記算出した無線リソース毎のチャネル推定値とに基づいて、前記候補を選択する付記１１又は付記１２に記載の無線リソース特定方法。
【００８８】
（付記１４）
前記特定手段は、前記選択した候補の無線リソースのＡ／Ｎ信号を復調するための等化ウェイトを、各無線リソースのリファレンス信号から算出した無線リソース毎のチャネル推定値を用いて生成する付記１１から付記１３のいずれかに記載の無線リソース特定方法。
【００８９】
（付記１５）
前記特定手段は、前記選択した候補の無線リソースにおける制御信号を前記生成した等化ウェイトを用いて復調し、その復調結果に基づいて、前記移動局が使用した無線リソースを特定する付記１４に記載の無線リソース特定方法。
【００９０】
（付記１６）
無線通信システムの基地局のプログラムであって、前記プログラムは前記基地局を、
移動局からの送信信号のリファレンス信号と制御信号との特性に基づいて、複数の無線リソースを前記移動局が使用した無線リソースを特定するための候補として選択する選択手段と、
前記選択した候補の中から、前記移動局が使用した無線リソースを、前記送信信号の制御信号の特性に基づいて特定する特定手段と
して機能させるプログラム。
【００９１】
（付記１７）
前記選択手段は、前記リファレンス信号と制御信号とを用いて算出した、前記無線リソース毎のリファレンス信号相関値に基づいて、前記候補を選択する付記１６に記載のプログラム。
【００９２】
（付記１８）
前記選択手段は、全無線リソースのリファレンス信号と制御信号とから雑音電力を推定し、各無線リソースのリファレンス信号から無線リソース毎のチャネル推定値を算出し、前記推定した雑音電力と前記算出した無線リソース毎のチャネル推定値とに基づいて、前記候補を選択する付記１６又は付記１７に記載のプログラム。
【００９３】
（付記１９）
前記特定手段は、前記選択した候補の無線リソースのＡ／Ｎ信号を復調するための等化ウェイトを、各無線リソースのリファレンス信号から算出した無線リソース毎のチャネル推定値を用いて生成する付記１６から付記１８のいずれかに記載のプログラム。
【００９４】
（付記２０）
前記特定手段は、前記選択した候補の無線リソースにおける制御信号を前記生成した等化ウェイトを用いて復調し、その復調結果に基づいて、前記移動局が使用した無線リソースを特定する付記１９に記載のプログラム。
【符号の説明】
【００９５】
１００  移動端末装置
１０１  無線基地局装置
１０２  Ａ／Ｄ変換部
１０３  ＦＦＴ部
１０４  周波数リソース候補抽出部
１０５  雑音電力推定部
１０６  チャネル推定部
１０７  等化ウェイト生成部
１０８  Ａ／Ｎ復調部
１０９  周波数リソース検出部
１１０  ＤＴＸ検出部
１１１  Ａ／Ｎ復号部
２００  移動端末装置
２０１  無線基地局装置
２０２  Ａ／Ｄ変換部
２０３  ＦＦＴ部
２０４  周波数リソース候補抽出部
２０５  雑音電力推定部
２０６  チャネル推定部
２０７  ＤＭ−ＲＳ周波数リソース検出部
２０８  等化ウェイト生成部
２０９  Ａ／Ｎ復調部
２１０  Ａ／Ｎ周波数リソース検出部
２１１  ＤＴＸ検出部
２１２  Ａ／Ｎ復号部
【図１】
2015032967.tif 000006
【図２】
2015032967.tif 000007
【図３】
2015032967.tif 000008
【図４】
2015032967.tif 000009
【図５】
2015032967.tif 000010
【図６】
2015032967.tif 000011
【図７】
2015032967.tif 000012
【図８】
2015032967.tif 000013